(57)【要約】【課題】空気調和機の動作中に音響装置から出力される音が聞こえ難くなることを防止する。【解決手段】空気調和機は、空間内の空気を浄化する浄化部と、前記浄化部によって浄化された空気を前記空間内に送出するための送風部と、前記送風部による空気の送出状態に基づいて音響装置に対する音量制御信号を送信する送信部と、を有する。【選択図】図４
2020118316.tif 000002
【特許請求の範囲】
【請求項１】
空間内の空気を浄化する浄化部と、
前記浄化部によって浄化された空気を前記空間内に送出するための送風部と、
前記送風部による空気の送出状態に基づいて音響装置に対する音量制御信号を送信する送信部と、
を備える空気調和機。
【請求項２】
前記送風部による送風量が増加した場合、前記送信部は前記音響装置に対する音量増加信号を送信する、請求項１に記載の空気清浄機。
【請求項３】
前記空間内の空気の汚れを検知する汚れ検知部と、
前記汚れ検知部の検知結果に基づいて前記送風部による空気の送出状態を制御する制御部とをさらに備える、請求項１または２に記載の空気調和機。
【請求項４】
前記送信部は、前記空間内における自装置が設置された位置を示す第１の位置情報および前記音響装置が設置された位置を示す第２の位置情報に基づいて前記音響装置に対する前記音量制御信号を送信する、請求項１乃至３のいずれか１項に記載の空気調和機。
【請求項５】
前記送信部は、前記第１の位置情報、前記第２の位置情報、および前記空間内における使用者の位置を示す第３の位置情報に基づいて前記音響装置に対する前記音量制御信号を送信する、請求項４に記載の空気調和機。
【請求項６】
空間内の空気を浄化する浄化部と、
前記浄化部によって浄化された空気を前記空間内に送出するための送風部と、
前記送風部による空気の送出状態に基づいて音響装置に対する音量制御信号を送信する送信部と、
を備えるシステム。
【請求項７】
空間内の空気を浄化する浄化部と、
前記浄化部によって浄化された空気を前記空間内に送出するための送風部と、
前記空間内に設置された音響装置の音量情報を受信する受信部と、
前記受信部により受信された音量情報に基づいて前記送風部による空気の送出状態を制御する制御部と、
を備える空気調和機。
【発明の詳細な説明】
【技術分野】
【０００１】
本発明は、空気調和機およびシステムに関する。
【背景技術】
【０００２】
映像音響装置の場面に対応してファン風量を制御することにより、臨場感を落とさずに空調装置を効率よく動作させる技術が知られている（例えば、特許文献１参照）。
【先行技術文献】
【特許文献】
【０００３】
【特許文献１】特開平５−１５７３１９号公報
【発明の概要】
【発明が解決しようとする課題】
【０００４】
空気調和機が設置されている部屋には、空気調和機の他にテレビやオーディオ機器等の音響装置が設置されている場合がある。例えば、空気調和機の送風量が増加して騒音が大きくなると、音響装置から出力される音が聞こえ難くなる場合がある。
本発明の一態様は、空気調和機の動作中に音響装置から出力される音が聞こえ難くなるのを防止することを目的とする。
【課題を解決するための手段】
【０００５】
本発明の一態様に係る空気調和装置は、空間内の空気を浄化する浄化部と、前記浄化部によって浄化された空気を前記空間内に送出するための送風部と、前記送風部による空気の送出状態に基づいて音響装置に対する音量制御信号を送信する送信部と、を有する。
【発明の効果】
【０００６】
本発明の一態様によれば、空気調和機の動作中に音響装置から出力される音が聞こえ難くなることを防止できる。
【図面の簡単な説明】
【０００７】
【図１】実施の形態に係る空気調和システムの構成図である。
【図２】実施の形態に係る空気調和機を正面右上から見た略示斜視図である。
【図３】実施の形態に係る空気調和機の内部構成を示す略示右側断面図である。
【図４】実施の形態に係る制御系統の概略構成を示すブロック図である。
【図５】配置パターンＡに対応する空気調和機、音響装置、およびユーザの位置の一例を示す図である。
【図６】配置パターンＢに対応する空気調和機、音響装置、およびユーザの位置の一例を示す図である。
【図７】配置パターンＣに対応する空気調和機、音響装置、およびユーザの位置の一例を示す図である。
【図８】配置パターンＤに対応する空気調和機、音響装置、およびユーザの位置の一例を示す図である。
【図９】実施の形態に係る空気調和機の制御処理のフローチャートである。
【図１０】通常モードの音量制御処理の詳細なフローチャートである。
【図１１】ファンモータ回転数設定処理の詳細なフローチャートである。
【図１２】強制モードの音量制御処理の詳細なフローチャートである。
【発明を実施するための形態】
【０００８】
以下、図面を参照しながら実施の形態について説明する。
図１は、実施の形態に係る空気調和システムの構成図である。
【０００９】
空気調和システム１０１は、空気調和機２０１、音響装置３０１、アクセスポイント（ＡＰ）４０１、およびサーバ５０１を有する。空気調和機２０１、音響装置３０１、およびＡＰ４０１は、ユーザ宅１１１に設置されており、空気調和機２０１および音響装置３０１は、ユーザ宅１１１のある部屋（空間）に設置されている。ＡＰ４０１およびサーバ５０１は、ＷＡＮ（Ｗｉｄｅ  Ａｒｅａ  Ｎｅｔｗｏｒｋ）等のネットワーク６０１に接続している。空気調和機２０１および音響装置３０１は、ＡＰ４０１と無線（例えば、Ｗｉ−Ｆｉ（登録商標）またはBluetooth（登録商標）等）により接続している。空気調和機２０１、音響装置３０１、およびサーバ５０１は、互いに通信可能である。尚、空気調和機２０１および音響装置３０１は、ＡＰ４０１と有線で接続されていてもよく、空気調和機２０１と音響装置３０１は、ＡＰ４０１を介さずに直接通信可能であってもよい。
【００１０】
空気調和機２０１は、空気調和運転を行う装置であり、例えば、空気清浄機またはエアコン等である。空気調和機２０１は、空気調和機２０１が設置された部屋（空間）の空気を空気調和機２０１内で浄化し、浄化された空気を部屋内に送出する。さらに空気調和機２０１は、浄化された空気の送出状況に基づいて音響装置３０１の音量を制御する。また、音響装置３０１の音量を示す音量情報を受信し、音量情報に基づいて、浄化された空気の送出状況を制御してもよい。尚、空気調和機２０１の詳細な構成および制御については後述する。
【００１１】
音響装置３０１は、音を出力する装置である。詳細には、音響装置３０１は、スピーカ（不図示）を有し、例えば、受信したテレビ放送の番組を再生したり、ＣＤ（Compact Disc）やＤＶＤ（Digital Versatile Disc）等の記録媒体に記録された音楽や動画を再生することで、スピーカから音を出力する。音響装置３０１は、例えば、テレビ、オーディオ機器、またはラジオ等である。音響装置３０１は、ユーザによる入力操作、またはＡＰ４０１を介して空気調和機２０１またはサーバ５０１から受信した制御信号に従って音量を調節する。音響装置３０１は、音響装置３０１の電源状態を示す電源情報、音響装置３０１の音量を示す音量情報、および静音モード（ミュート）であるか否かを示すモード情報を含む運転状態データをサーバ５０１に送信する。また、音響装置３０１は、運転状態データを空気調和機２０１に送信してもよい。
【００１２】
サーバ５０１は、制御部５１１、記憶部５２１、および通信部５３１を有する。サーバ５０１は、情報処理装置の一例である。
【００１３】
制御部５１１は、サーバ５０１全体を制御する。制御部５１１は、例えば、ＣＰＵ（Central Processing Unit）等のプロセッサであり、プロセッサは記憶部５２１に記憶されたプログラムを実行することにより制御部５１１として動作する。制御部５１１は、空気調和機２０１の送風量等の浄化された空気の送出状況に基づいて音響装置３０１の音量を制御してもよい。また、制御部５１１は、通信部５３１により受信された音響装置３０１の音量を示す音量情報に基づいて、空気調和機２０１の送風量等の浄化された空気の送出状況を制御してもよい。
【００１４】
記憶部５２１は、サーバ３０１で利用されるデータやプログラム等を記憶する。記憶部５２１は、例えば、ＲＡＭ（Random Access Memory）またはＲＯＭ（Read Only Memory）等である。
【００１５】
通信部５３１は、空気調和機２０１および音響装置３０１と通信を行う。通信部５３１は、例えば、空気調和機２０１が検出した環境情報（例えば、空気調和機２０１の周囲の温湿度、空気調和機２０１の周囲の空気の汚れの程度など）および空気調和機２０１の状態（例えば、後述の電源のオン／オフ、加湿の運転モード、イオン放出のオン／オフ、動作モード、および配置パターン等）を示す状態情報を空気調和機２０１から受信する。また、通信部５３１は、例えば、音響装置３０１の電源状態を示す電源情報、音響装置３０１の音量を示す音量情報、および音響装置３０１が静音モード（ミュート）であるか否かを示すモード情報を含む運転状態データを音響装置３０１から受信する。また、通信部５３１は、例えば、空気調和機２０１からの要求に応じて、音響装置３０１の電源状態を示す電源状態、音響装置３０１の音量を示す音量情報、および音響装置３０１が静音モード（ミュート）であるか否かを示すモード情報を含む運転状態データを空気調和機２０１に送信する。また、通信部５３１は、空気調和機２０１および音響装置３０１へ空気調和機２０１および音響装置３０１をそれぞれ制御する制御信号を送信してもよい。通信部５３１は、通信に伴うデータ変換を行う通信インタフェース（例えば、レシーバ、トランスミッタ、ＮＩＣ（Network Interface Card）等）である。通信部５３１は、送信部の一例である。通信部５３１は、受信部の一例である。
【００１６】
図２は、実施の形態に係る空気調和機を正面右上から見た略示斜視図であり、図３は、実施の形態に係る空気調和機の内部構成を示す略示右側断面図である。
【００１７】
空気調和機２０１の筐体２の前面側には前面パネル３を取り付けてある。筐体２は、また、背面側に矩形の開口を有し、該開口の内側には、エアフィルタを収納するために矩形の枠体が形成されている。該枠体には、エアフィルタとして、空気中の臭気成分を吸着する脱臭フィルタ４および微細な塵埃を捕集する集塵フィルタ５が、背面側よりこの順に重ね合わせて収納されている。前記枠体の背面側は、格子状に多数の通気孔を有する略矩形の集塵用のプレフィルタを兼用したフィルタ押え枠６が取り付けられて閉塞され、エアフィルタの脱落が防止される。
【００１８】
脱臭フィルタ４は、例えば、活性炭を均一に分散させたポリエステル製の不織布を矩形の枠に貼り付けたものである。また、集塵フィルタ５は、例えば、ＨＥＰＡ（High Efficiency Particulate Air）フィルタであって、ポリエステル又はビニロン系の不織布からなる骨材と電石加工を施したメルトブロー不織布とを合わせた濾材を折り畳み、更にその上下面にハイドロキシアパタイト加工を施した不織布からなる抗菌シートを重ねて熱圧着したものに、枠材を溶着したものである。脱臭フィルタ４および集塵フィルタ５は、浄化部の一例である。
【００１９】
前記枠体の前方には、エアフィルタから通風される空気に加湿するための加湿器１７が配されている。加湿器１７は、例えば、円盤状の枠体および折り畳まれた吸水材からなる加湿フィルタ１４、並びに加湿フィルタ１４の下方、筐体２の下部に配されて一側方から着脱可能なトレイ１５を有する。トレイ１５は、一側方から着脱可能な給水タンク１６と連通され、給水タンク１６から適時所定水位まで水が供給される。加湿フィルタ１４は、トレイ１５内に立設された支柱上端部の加湿フィルタ駆動モータ７に回動可能に軸支されて、下部がトレイ１５に貯水された水に浸されることにより、吸水材全体が水を含浸するようにしてある。
【００２０】
加湿フィルタ１４の前面側には、多数の通気孔が形成された隔壁２３が配され、隔壁２３と前面パネル３とに挟まれるようにして送風機８が配設されている。送風機８は、隔壁２１によって離隔されたファンモータ９およびファン１０を有する。ファンモータ９は、ファン１０を回転駆動する。ファンモータ９は、例えば、回転数の制御が容易な直流モータであり、隔壁２１の正面側に固設されている。ファン１０は、例えば、低騒音のターボファンである。尚、ファン１０は、プロペラファン、クロスフローファン等、他のファンでもよい。送風機８は、送風部の一例である。
【００２１】
送風機８の上方には、隔壁２１および隔壁２３によって形成された上向きの通風路１１が、背面側に傾斜して外装まで連通している。外装の上面は、正面側の天板と、該天板の後縁からフィルタ押え枠６の上縁まで後傾する傾斜面とで形成されている。通風路１１は、前記傾斜面の上端部に開口する吹出口１１ａを有し、吹き出し口１１ａには、吹き出す空気の方向を変更するための風向板１２が設けられている。風向板１２の向きが変更されることにより、吹き出し口１１ａから吹き出す空気の方向が変更される。通風路１１の途中には、ファン１０から吹出口１１ａに向かう空気中に、正または負の少なくとも一方のイオンを放出するためのイオン発生器１８が設置されている。放出されたイオンは、菌類、ウィルス、及びアレルゲン等を死滅又は不活性化させ、悪臭の原因となる物質（例えばアセトアルデヒドのような有機化合物）を分解する。
【００２２】
外装の上面の天板には、電源のオン／オフおよび各運転モード設定を行うための操作ボタン４８、並びに各運転モードを表示するためのＬＥＤ（Light Emitting Diode）からなる表示ランプ４９ａを有する操作表示部１３が配されている。
【００２３】
操作ボタン４８には、電源をオン／オフするための電源ボタン、加湿を行うための加湿空気清浄ボタン、イオンの放出をオン／オフするためのイオン放出ボタン、後述の動作モード（空調優先モードまたは音響優先モード）の設定を行うための動作モード設定ボタン、および後述の配置パターンを設定する配置パターン設定ボタンが備えられている。
【００２４】
表示ランプ４９ａには、電源ボタン、加湿設定ボタン、イオン放出ボタン、動作モード設定ボタン、および配置パターン設定ボタンの各操作又は自動運転に従って、夫々電源のオン／オフ、加湿の運転モード、イオン放出のオン／オフ、動作モード、配置パターンを各表示する電源表示ランプ、加湿運転モード表示ランプ、イオン放出表示ランプ、動作モード表示ランプ、および配置パターン表示ランプが備えられている。
【００２５】
前面パネル３の上部中央には、後述する各センサが検出した内容を表示するための表示ランプ４９ｂを備えている。また、表示ランプ４９ｂには、湿度センサ４５の検出値に基づいて周囲の湿度を表示する湿度表示ランプ、温度センサ４２の検出値に基づいて周囲の温度を表示する温度表示ランプ、およびトレイ水位検出スイッチ（不図示）の検出値に基づいて給水タンク１６への水の補給を促すための給水表示ランプが備えられている。
【００２６】
上記構成において、送風機８のファンモータ９が回転した場合、フィルタ押え枠６の背面側より空気が吸入される。吸入された空気は、脱臭フィルタ４および集塵フィルタ５によって浄化され、隔壁２３の通気孔を通過してファン１０に吸い込まれる。ファン１０に吸い込まれた空気は、ファンブレードの間を通ってファン１０の外周から通風路１１へ圧送され、吹出口１１ａより外部へ吹き出される。すなわち、送風機８は、脱臭フィルタ４および集塵フィルタ５により浄化された空気を空気調和機２０１が設置された空間に送出する。
【００２７】
空気調和機２０１の本体上部には、温度センサ４２、湿度センサ４５、埃センサ４３（図４参照）、臭いセンサ４４（図４参照）といったセンサ類が設置されている。温度センサ４２は周囲の温度を検出し、湿度センサ４５は周囲の湿度を検出し、埃センサ４３は発光素子および受光素子間の空気中に浮遊する塵埃および粒子の濃度を検出（検知）する。臭いセンサ４４は金属酸化物半導体の表面にガスが吸着することにより、抵抗値が変化することを利用して、空気中の臭気成分の濃度を検出（検知）する。これらのセンサ類は、ファンモータ９、ファン１０により吸い込まれる空気が脱臭フィルタ４や集塵フィルタ５で浄化される前の経路内に設けられている。これにより、空気調和機２０１が設置された空間の空気の状況を検知することができる。
【００２８】
埃センサ４３および臭いセンサ４４は、汚れ検知部の一例である。埃センサ４３が検出した空気中に浮遊する塵埃および粒子の濃度、および臭いセンサ４４が検出した空気中の臭気成分の濃度は、空気調和機２０１が設置された空間の空気中の汚れの程度の一例である。埃センサ４３が検出した空気中に浮遊する塵埃および粒子の濃度は、埃センサ４３が出力する埃センサ値として示される。臭いセンサ４４が検出した空気中の臭気成分の濃度は、臭いセンサ４４が出力する臭いセンサ値として示される。
【００２９】
また、温度センサ４２、湿度センサ４５、埃センサ４３、臭いセンサ４４といったセンサ類の設置位置は、空気清浄機の本体上部に限定されるものではなく、ファンモータ９、ファン１０により吸い込まれる空気が脱臭フィルタ４や集塵フィルタ５で浄化される前の経路内にあれば何処にあってもよい。
【００３０】
実施の形態では、一例として、フィルタ押え枠６の側方に開口部を設け、その開口部の奥に温度センサ４２および湿度センサ４５を含むセンサ類を配置し、その開口部からファンモータ９、ファン１０により吸い込まれる空気が、センサ類を経由して、フィルタ押え枠６から吸い込まれた空気と合流して、脱臭フィルタ４に達するような経路を形成している。
【００３１】
以上、空気調和機２０１の構成について説明した。次に空気調和機２０１について、続いて図４を参照し、実施の形態に係る空気調和機２０１が有する制御部について説明する。図４は、実施の形態の制御系統の概略構成を示すブロック図である。
【００３２】
空気調和機２０１が有する制御部４０は、空気調和機２０１全体を制御する。制御部４０は、例えば、ＣＰＵ等のプロセッサであり、プロセッサは記憶部４１に記憶されたプログラムを実行することにより制御部４０として動作する。また、制御部４０は、集積回路（ＩＣチップ）等に形成された論理回路（ハードウェア）によって実現してもよい。
【００３３】
記憶部４１は、空気調和機２０１で利用されるデータおよびプログラム等を記憶する。記憶部４１は、空気調和機２０１と音響装置３０１との間の位置関係、および空気調和機２０１とユーザが音響装置３０１を使用しているときのユーザの位置との間の位置関係を示す配置パターンを記憶する。配置パターンは、空気調和機２０１の位置を示す第１の位置情報、音響装置３０１の位置を示す第２の位置情報、および空気調和機２０１および音響装置３０１が設置された空間における音響装置３０１のユーザの位置を示す第３の位置情報の一例である。また、記憶部４１は、空気調和機２０１の動作が通常モードまたは強制モードのいずれかに設定されているかを示す強制モードフラグを記憶する。また、記憶部４１は、空気調和機２０１に設定されている動作モード（空調優先モードまたは音響優先モード）を記憶する。記憶部５２１は、例えば、ＲＡＭ（Random Access Memory）またはＲＯＭ（Read Only Memory）等である。
【００３４】
制御部４０には、周囲の湿度を検出する湿度センサ４５、周囲の温度を検出する温度センサ４２、周囲の埃を検出する埃センサ４３、周囲の臭気を検出する臭いセンサ４４、およびトレイ１５の水位を検出するトレイ検出スイッチ（不図示）が接続され、制御部４０は、これらのセンサの検出値およびスイッチの検出状態を取り込む。
【００３５】
更に、制御部４０には、風向板１２の向きを変更するスッテピングモータ（不図示）、送風機８のファンモータ９、加湿器１７の加湿フィルタ１４の駆動モータ７、およびイオン発生器１８が接続されている。制御部４０は、操作ボタン４８から受け付けた操作並びに上述の各センサの検出値および各スイッチの検出状態に基づいて、風向板１２のスッテピングモータ、送風機８のファンモータ９、加湿器１７の加湿フィルタ１４の駆動モータ７、およびイオン発生器１８を制御する。これにより、風向板１２の向き、送風機８の送風量、加湿器１７の加湿量およびイオン発生器１８のイオン発生量が制御される。
【００３６】
更に、制御部４０は、浄化された空気の送出状況に基づいて音響装置３０１の音量を制御する。浄化された空気の送出状況は、例えば、送風機８の送風量、ファンモータ９の回転数、または風向板１２の向き等である。送風機８の送風量は、例えば、ファンモータ９の回転数に応じて変化する。制御部４０は、例えば、送風機８の送風量に応じて、具体的には、ファンモータ９の回転数に応じて、音響装置３０１の音量を制御する。制御部４０は、例えば、送風機８の送風量（ファンモータ９の回転数）が増加した場合に音響装置３０１の音量を増加させる。更に、制御部４０は、さらに空気調和機２０１の位置を示す第１の位置情報および音響装置３０１の位置を示す第２の位置情報に基づいて、送風機８の送風量の制御を行う。更に、制御部４０は、さらに音響装置３０１のユーザ（使用者）の位置を示す第３の位置情報に基づいて、送風機８の送風量の制御を行う。実施の形態において、第１の位置情報、第２の位置情報、および第３の位置情報の一例として、配置パターンが用いられ、制御部４０は、配置パターンに基づいて、ファンモータ９の回転数を制御することにより送風機８の送風量の制御を行う。
【００３７】
更に、制御部４０は、空気の汚れの程度に応じて制御された送風機８の送風量に基づいて音響装置３０１の音量を制御する。制御部４０は、例えば、空気の汚れの程度を示す埃センサ４３の埃センサ値または臭いセンサ４４の臭いセンサ値が所定値以上である場合、送風機８の送風量を増加させ、音響装置３０１の音量を増加させる。
【００３８】
更に、制御部４０は、空気調和機２０１の位置を示す第１の位置情報、音響装置３０１の位置を示す第２の位置情報、および検出された汚れの程度に応じて制御された空気調和機２０１の送風量に基づいて音響装置３０１の音量を制御する。更に、制御部４０は、空気調和機２０１の位置を示す第１の位置情報、音響装置３０１の位置を示す第２の位置情報、音響装置３０１のユーザの位置を示す第３の位置情報、および検出された汚れの程度汚れの程度に応じて制御された空気調和機２０１の送風量に基づいて音響装置３０１の音量を制御する。実施の形態において、第１の位置情報、第２の位置情報、および第３の位置情報の一例として、配置パターンが用いられ、制御部４０は、配置パターンに基づいて音響装置３０１の音量を制御する。配置パターンの詳細および配置パターンを用いた制御処理については後述する。
【００３９】
更に、制御部４０は、空気調和機２０１と音響装置３０１との間の位置関係と、および空気調和機２０１とユーザが音響装置３０１を使用しているときのユーザの位置との間の位置関係を示す配置パターンに基づいて、音響装置３０１の音量を制御する。制御部４０は、音響装置３０１の音量を制御する制御信号を通信部５０１から出力する。更に、制御部４０は、空気調和機２０１に設定されている動作モード（空調優先モードまたは音響優先モード）に基づいて、音響装置３０１の音量および送風機８の風量を制御する。空調優先モードは、送風機８の送風量を優先し、送風機８の送風量（例えば、ファンモータ９の回転数）に応じて、音響装置３０１の音量を制御するモードである。音響優先モードは、音響装置３０１の音量を優先し、音響装置３０１の音量に応じて、送風機８の送風量（例えば、ファンモータ９の回転数）を制御するモードである。
【００４０】
更に、制御部４０は、音響装置３０１の音量を示す音量情報を受信し、音量情報に基づいて、空気調和機２０１の浄化された空気の送出状況（例えば、ファンモータ９の回転数）を制御してもよい。
【００４１】
更に、制御部４０は、表示ランプ４９ａおよび表示ランプ４９ｂの表示の制御を行う。また、制御部４０は、音響装置３０１の音量に基づいて、浄化された空気の送出状況（例えば、送風機８の送風量、ファンモータ９の回転数など）を制御してもよい。
【００４２】
通信部５１は、ＡＰ４０１を介して音響装置３０１およびサーバ５０１と通信を行う。通信部５１は、例えば、空気調和機２０１が検出した環境情報（温度センサ４２が検出した温度、湿度センサ４５が検出した湿度、埃センサ４３が検出した塵埃および粒子の濃度、および臭いセンサ４４が検出した空気中の臭気成分の濃度など）および空気調和機２０１の状態（例えば、後述の電源のオン／オフ、加湿の運転モード、イオン放出のオン／オフ、動作モード、および配置パターン等）を示す状態情報をサーバ５０１へ送信する。また、通信部５１は、音響装置３０１の運転状態データ（音響装置３０１の電源状態（オンまたはオフ）を示す電源情報、音響装置３０１の音量を示す音量情報、および静音モード（ミュート）であるか否かを示すモード情報）をサーバ５０１または音響装置３０１から受信する。また、通信部５１は、音響装置３０１またはサーバ５０１へ音響装置３０１を制御する制御信号を送信する。また、通信部５１は、空気調和機２０１に対する制御指示（例えば、風向版１２から吹き出す空気の方向、送風機８の送風量、加湿器１７のオンオフ、およびイオン発生機１８のオンオフ等）をサーバ５０１から受信し、制御部４０は受信した制御情報に基づいて、空気調和機２０１の各部（例えば、風向版１２、送風機８、加湿器１７、およびイオン発生機１８等）を制御してもよい。通信部５１は、通信に伴うデータ変換を行う通信インタフェース（例えば、レシーバ、トランスミッタ、ＮＩＣ（Network Interface Card）等）である。通信部５１は、送信部の一例である。通信部５１は、受信部の一例である。
【００４３】
次に、空気調和機２０１の位置を示す第１の位置情報、音響装置３０１の位置を示す第２の位置情報、および音響装置３０１のユーザの位置を示す第３の位置情報の一例として、配置パターンを説明する。記憶部４１は、空気調和機２０１と音響装置３０１との間の位置関係と、および空気調和機２０１とユーザが音響装置３０１を使用しているときのユーザの位置との間の位置関係を示す配置パターンを記憶する。例えば、記憶部４１は、配置パターンとして４つの配置パターンＡ〜Ｄのいずれかを記憶する。ユーザにより配置パターンＡ〜Ｄのいずれかが予め空気調和機２０１に入力され、入力された配置パターンＡ〜Ｄのいずれかが記憶部４１に記憶される。これにより、配置パターンが空気調和機２０１に設定される。
【００４４】
図５〜８は、配置パターンＡ〜Ｄにそれぞれ対応する空気調和機２０１、音響装置３０１、およびユーザ１００の位置の一例を示す図である。
（１）配置パターンＡ
配置パターンＡは、空気調和機２０１は音響装置３０１と近く、且つ空気調和機２０１は音響装置３０１のユーザ１００と遠い場合を示す（図５）。すなわち、空気調和機２０１と音響装置３０１との間の距離は第１の距離以内、且つ空気調和機２０１と音響装置３０１のユーザ１００との距離は、第２の距離より大きい。尚、第２の距離は、第１の距離より大きい。
（２）配置パターンＢ
配置パターンＢは、空気調和機２０１は音響装置３０１と遠く、且つ空気調和機２０１は音響装置３０１のユーザ１００と近い場合を示す（図６）。すなわち、空気調和機２０１と音響装置３０１との間の距離は第２の距離より大きく、且つ空気調和機２０１と音響装置３０１のユーザ１００との距離は、第１の距離以内である。
（３）配置パターンＣ
配置パターンＣは、空気調和機２０１は音響装置３０１から所定の範囲内にあり、且つ空気調和機２０１は音響装置３０１のユーザ１００から所定の範囲内にある場合を示す（図７）。尚、所定の範囲は、第１の距離より大きく、第２の距離以下である。すなわち、空気調和機２０１は音響装置３０１と近くも遠くない中間距離にあり、空気調和機２０１はユーザ１００と近くも遠くない中間距離にある。
（４）配置パターンＤ
配置パターンＤは、空気調和機２０１は音響装置３０１と遠く、且つ空気調和機２０１は音響装置３０１のユーザ１００と遠い場合を示す（図８）。すなわち、空気調和機２０１と音響装置３０１との間の距離は第２の距離より大きく、且つ空気調和機２０１と音響装置３０１のユーザ１００との距離は、第２の距離より大きい。
【００４５】
ユーザ１００は、例えば、空気調和機２０１の位置、音響装置３０１の位置、および音響装置３０１を使用するときのユーザ１００の位置が、配置パターンＡ〜Ｄのいずれに該当するか判断して、操作ボタン４８を用いて空気調和機２０１に配置パターンＡ〜Ｄのいずれかを入力し、空気調和機２０１に設定する。尚、空気調和機２０１の位置を示す第１の位置情報、音響装置３０１の位置を示す第２の位置情報、および音響装置３０１のユーザの位置を示す第３の位置情報は、上述の位置情報配置パターンＡ〜Ｄに限られず、空気調和機２０１と音響装置３０１との間の距離、および空気調和機２０１と音響装置３０１のユーザとの距離を示す情報であってよい。また、第１〜第３位置情報は、それぞれ空気調和機２０１の位置、音響装置３０１の位置、および音響装置３０１のユーザの位置を示す情報であってもよい。第１〜第３の位置情報はユーザの入力により予め入力されてもよいし、制御部４０が外部の装置から取得してもよい。例えば、制御部４０１が外部のセンサー（例えば、カメラや人感センサなど）を用いてユーザ１００の位置を検出して、ユーザの位置を示す第３の位置情報を設定してもよい。また、配置パターンは、配置パターンＡ〜Ｄに限られず、例えば、空気調和機２０１と音響装置３０１との間の位置関係、または空気調和機２０１とユーザが音響装置３０１を使用しているときのユーザの位置との間の位置関係のいずれかでもよい。
【００４６】
図９は、実施の形態に係る空気調和機の制御処理のフローチャートである。
ステップＳ９０１において、制御部４０は、臭いセンサ４４から臭いセンサ４４が検出した空気中の臭気成分の濃度を示す臭いセンサ値を取得する。
【００４７】
ステップＳ９０２において、制御部４０は、臭いセンサ値が基準値Ｒ１より大きいか否か判定する。臭いセンサ値が基準値Ｒ１より大きいと判定された場合、制御はステップＳ９１０に進み、臭いセンサ値が基準値Ｒ１以下と判定された場合、制御はステップＳ９０３に進む。尚、基準値Ｒ１は、予め空気調和機２０１に設定されている。
ステップＳ９０３において、制御部４０は、埃センサ４３から埃センサ４３が検出した空気中に浮遊する塵埃および粒子の濃度を示す埃センサ値を取得する。
【００４８】
ステップＳ９０４において、制御部４０は、埃センサ値が基準値Ｒ２より大きいか否か判定する。埃センサ値が基準値Ｒ２より大きいと判定された場合、制御はステップＳ９１０に進み、埃センサ値が基準値Ｒ２以下と判定された場合、制御はステップＳ９０５に進む。尚、基準値Ｒ２は、予め空気調和機２０１に設定されている。
【００４９】
ステップＳ９０５において、制御部４０は、強制モードフラグが１であるか否か判定する。尚、上述のように強制モードフラグは、記憶部４１に記憶されている。強制モードフラグが１であると判定された場合、制御はステップＳ９０６に進み、強制モードフラグが１でないと判定された場合、すなわち強制モードフラグが０であると判定された場合、制御処理は終了し、再び図９の制御処理は開始される。強制モードフラグは、空気調和機２０１が強制モードに設定されているか、通常モードに設定されているかを示すフラグである。強制モードフラグ＝１は、空気調和機２０１が強制モードに設定されていることを示し、強制モードフラグ＝０は、空気調和機２０１が強制モードに設定されていない、すなわち空気調和機２０１が通常モードに設定されていることを示す。
【００５０】
強制モードは、例えば、臭いセンサ値が基準値Ｒ１より大きい場合または埃センサ値が基準値Ｒ２より大きい場合に、通常モード時よりもファンモータ９の回転数とイオン発生機１８からのイオンの発生を増加させるモードである。
【００５１】
通常モードは、操作ボタン４８を用いてユーザにより入力された空気調和機２０１の設定、または自動モードで動作するモードである。自動モードでは、制御部４０により、ファンモータ９の回転数とイオン発生機１８のイオンの発生は、強制モードの時よりも少ない所定の状態となるように設定される。
ステップＳ９０６において、制御部４０は、強制モードフラグを０に設定する。
【００５２】
ステップＳ９０７において、制御部４０は、ファンモータ９の回転数を通常モード所定値に設定する。ファンモータ９の回転数の通常モード所定値は、操作ボタン４８を用いてユーザにより入力された空気調和機２０１の設定に応じた値、または通常モード時のファンモータ９の回転数として予め設定された値である。また、ファンモータ９の回転数の通常モード所定値は、後述の強制モード時の強制モード所定値より小さい。尚、通常モード所定値および強制モード所定値は、例えば、１分間当たりの回転数で表される。
【００５３】
ステップＳ９０８において、制御部４０は、イオン発生機１８のイオン発生周期を通常モード所定値に設定する。例えば、イオン発生機１８の通常モード所定値は、「間欠」であり、制御部４０は、イオン発生機１８を間欠運転させ、イオンを周期的に発生させる。
【００５４】
また、制御部４０は、ステップＳ９０７、Ｓ９０８の処理を、ステップＳ９０６で強制モードフラグを０に設定してから所定時間経過後に行ってもよい。すなわち、制御部４０は、空気の汚れが検出されなくなってから所定時間経過後にファンモータ９の回転数を下げて、イオン発生機１８を間欠運転させてもよい。詳細には、制御部４０は、ステップＳ９０２で臭いセンサ値が基準値Ｒ１以下と判定され且つステップＳ９０４で埃センサ値が基準値Ｒ２以下と判定されてから所定時間経過したか判定し、所定時間経過したと判定された場合にファンモータ９の回転数を下げて、イオン発生機１８を間欠運転させてもよい。
ステップＳ９０９において、制御部４０は、通常モードの音量制御処理を行う。以下、通常モードの音量制御処理の詳細について説明する。
【００５５】
図１０は、通常モードの音量制御処理の詳細なフローチャートであり、図９のステップＳ９０９に対応する。
【００５６】
ステップＳ１００１において、制御部４０は、設定されている動作モードが空調優先モードか否か判定する。尚、設定されている動作モードは、記憶部４１に記憶されており、制御部４０は、記憶部４１を参照して、設定されている動作モードが空調優先モードか否か判定する。設定されている動作モードが空調優先モードと判定された場合、制御はステップＳ１００２に進む。設定されている動作モードが空調優先モードでないと判定された場合、すなわち設定されている動作モードが音響優先モードであると判定された場合、通常モードの音量制御処理は終了する。このように、設定されている動作モードが音響優先モードの場合、現在の音響装置３０１の音量を優先するため、制御部４０は、音響装置３０１の音量は変更しない。
【００５７】
ステップＳ１００２において、制御部４０は、設定されている配置パターンが配置パターンＡ〜Ｃのいずれかであるか判定する。尚、設定されている配置パターンは、記憶部４１に記憶されており、制御部４０は、記憶部４１を参照して、設定されている配置パターンが配置パターンＡ〜Ｃのいずれかであるか判定する。設定されている配置パターンが配置パターンＡ〜Ｃのいずれかであると判定された場合、制御はステップＳ１００３に進む。設定されている配置パターンが配置パターンＡ〜Ｃのいずれかでないと判定された場合、すなわち設定されている配置パターンが配置パターンＤであると判定された場合、通常モードの音量制御処理は終了する。このように、配置パターンＤが設定されている場合は、空気調和機２０１は音響装置３０１と遠く、且つ空気調和機２０１は音響装置３０１のユーザ１００と遠いため、ユーザ１００および音響装置３０１に対する送風機８の騒音の影響が少ないので、制御部４０は、音響装置３０１の音量を変更しない。
【００５８】
ステップＳ１００３において、制御部４０は、ステップＳ９０７で設定したファンモータ９の回転数に基づいて、音響装置３０１の音量を決定する。制御部４０は、例えば、ステップＳ９０７で設定したファンモータ９の回転数に対応する音量を音響装置３０１の音量に決定する。ファンモータ９の回転数に対応する音量は、ファンモータ９の回転数が小さくなるに従い小さくなる。例えば、ファンモータ９の回転数と音量とが対応付けられたテーブルが記憶部４１に予め記憶され、制御部４０は当該テーブルを参照して、ステップＳ９０７で設定したファンモータ９の回転数に対応する音量を決定する。ステップＳ９０７の処理により、ファンモータ９の回転数は、強制モードの時よりダウンしているので、ステップＳ１００３で決定される音響装置３０１の音量は、現在の音響装置３０１の音量よりも小さくなる。
【００５９】
ステップＳ１００４において、制御部４０は、決定した音量にまで音響装置３０１の音量をダウンさせる制御信号をサーバ５０１に通信部５１から送信する。そして、サーバ５０１は、受信した制御信号を音響装置３０１に通信部５３１から送信し、音響装置３０１は、受信した制御信号に従って、制御部４０で決定された音量となるように音量を調整する。尚、制御部４０は、制御信号を音響装置３０１に送信してもよい。
図９に戻り制御処理の説明を続ける。
【００６０】
ステップＳ９１０において、制御部４０は、音響装置３０１の運転状態を示す運転状態データを通信部５１を介してサーバ５０１に要求し、通信部５１は、サーバ５０１から送信された運転状態データを受信し、制御部４０は、運転状態データを取得する。運転状態データは、音響装置３０１の電源状態（オンまたはオフ）を示す電源情報、音響装置３０１の音量を示す音量情報、および静音モード（ミュート）であるか否かを示すモード情報を含む。また、通信部５１は、運転状態データを音響装置３０１から受信してもよい。
【００６１】
ステップＳ９１１において、制御部４０は、ステップＳ９１０で受信した電源情報から音響装置３０１の電源状態がオンであるか否か判定する。音響装置３０１の電源状態がオンであると判定された場合、制御はステップＳ９１５に進み、音響装置３０１の電源状態がオフであると判定された場合、制御はステップＳ９１２に進む。
ステップＳ９１２において、制御部４０は、ファンモータ９の回転数を設定可能な回転数のうちの最大値に設定する。
【００６２】
ステップＳ９１３において、制御部４０は、イオン発生機１８のイオン発生周期を強制モード所定値に設定する。例えば、強制モード所定値は、「常時」であり、制御部４０は、イオン発生機１８を連続運転させ、イオンを常時発生させる。
ステップＳ９１４において、制御部４０は、強制モードフラグを１に設定する。
【００６３】
ステップＳ９１５において、制御部４０は、ステップＳ９１０で受信したモード情報から音響装置３０１が静音モードに設定されているか否か判定する。静音モードとは、音響装置３０１が音を出力しない状態である。音響装置３０１が静音モードに設定されていると判定された場合、制御はステップＳ９２０に進み、音響装置３０１が静音モードに設定されていないと判定された場合、制御はステップＳ９１６に進む。
【００６４】
ステップＳ９１６において、制御部４０は、強制モードフラグが１であるか否か判定する。尚、上述のように強制モードフラグは、記憶部４１に記憶されており、制御部４０は、記憶部４１に記憶された強制モードフラグを読み出して、強制モードフラグが１であるか否か判定する。強制モードフラグが１であると判定された場合、制御処理は終了し、強制モードフラグが１でないと判定された場合、すなわち強制モードフラグが０であると判定された場合、制御はステップＳ９１７に進む。
【００６５】
ステップＳ９１７において、制御部４０は、ファンモータ回転数設定処理を行う。これにより、ファンモータ９の回転数が強制モード所定値に設定される。以下、ファンモータ回転数設定処理の詳細について説明する。
【００６６】
図１１は、ファンモータ回転数設定処理の詳細なフローチャートであり、図９のステップＳ９１７に対応する。
【００６７】
ステップＳ１１０１において、制御部４０は、設定されている動作モードが空調優先モードか否か判定する。尚、上述のように設定されている動作モードは、記憶部４１に記憶されている。設定されている動作モードが空調優先モードであると判定された場合、制御はステップＳ１１０２に進む。設定されている動作モードが空調優先モードでないと判定された場合、すなわち設定されている動作モードが音響優先モードであると判定された場合、制御はステップＳ１１０３に進む。
【００６８】
ステップＳ１１０２において、制御部４０は、設定されている配置パターンに基づいて、ファンモータ９の回転数を強制モード所定値に設定する。例えば、制御部４０は、設定されている配置パターンが配置パターンＤ、配置パターンＡまたはＣ、および配置パターンＢの場合、強制モード所定値をそれぞれ第１の値、第２の値、および第３の値とする。尚、第１の値は第２の値より大きく、第２の値は第３の値の値より大きい。また、第３の値は、通常モード時のファンモータ９の回転数よりも大きい。また、第１の値は、ステップＳ９１２の設定可能な回転数のうちの最大値より小さい。
【００６９】
このように、ファンモータ９の回転数は、通常モード時に比べて増加し、配置パターンＢが設定されている場合は、回転数の増加は少なく、配置パターンＡまたはＣが設定されている場合は、回転数の増加は配置パターンＢの場合より多く、配置パターンＤが設定されている場合は、回転数の増加は配置パターンＡまたはＣの場合より多い。配置パターンＢが設定されている場合は、ユーザ１００と空気調和機１０１の距離が近いため、ファンモータ９の回転数の増加を少なくすることで、音響装置３０１から出力される音が聞き取り難くなるのを防止する。配置パターンＤが設定されている場合は、空気調和機２０１は音響装置３０１と遠く、且つ空気調和機２０１は音響装置３０１のユーザ１００と遠いため、ユーザ１００および音響装置３０１に対する送風機８の騒音の影響が少ないので、制御部４０は、ファンモータ９の回転数を配置パターンＡまたはＣの場合より多くして、空気を速やかに浄化する。
【００７０】
ステップＳ１１０３において、制御部４０は、現在の音響装置３０１の音量に基づいて、ファンモータ９の回転数を強制モード所定値に設定する。例えば、音響装置３０１の音量と音響優先モード時のファンモータ９の回転数とが対応付けられたテーブルが記憶部４１に予め記憶され、制御部４０は当該テーブルを参照して、現在の音響装置３０１の音量に対応する回転数を音響優先モード時の強制モード所定値に設定する。音響装置３０１の音量に対応する音響優先モード時のファンモータ９の回転数は、音響装置３０１の音量が大きくなるに従い大きくなる。さらに、制御部４０は、設定されている配置パターンに基づいて、現在の音響装置３０１の音量に対応する回転数を増加または減少させた値を強制モード所定値に設定してもよい。音響優先モード時のファンモータ９の回転数は、前述の空調優先モード時のファンモータ９の回転数より小さく、空調優先モード時に比べて空気調和機２０１の騒音は小さくなる。
【００７１】
ステップＳ１１０４において、制御部４０は、設定した強制モード所定値の回転数でファンモータ９を駆動する。
図９に戻り制御処理の説明を続ける。
【００７２】
ステップＳ９１８において、制御部４０は、イオン発生機１８のイオン発生周期を強制モード所定値に設定する。例えば、強制モード所定値は、「常時」であり、制御部４０は、イオン発生機１８を連続運転させ、イオンを常時発生させる。
ステップＳ９１９において、制御部４０は、強制モードの音量制御処理を行う。以下、強制モードの音量制御処理の詳細について説明する。
図１２は、強制モードの音量制御処理の詳細なフローチャートであり、図９のステップＳ９１９に対応する。
【００７３】
ステップＳ１２０１において、制御部４０は、設定されている動作モードが空調優先モードか否か判定する。設定されている動作モードが空調優先モードと判定された場合、制御はステップＳ１２０２に進む。設定されている動作モードが空調優先モードでないと判定された場合、すなわち設定されている動作モードが音響優先モードであると判定された場合、強制モードの音量制御処理は終了する。このように、設定されている動作モードが音響優先モードの場合、現在の音響装置３０１の音量を優先するため、制御部４０は、音響装置３０１の音量は変更しない。
【００７４】
ステップＳ１２０２において、制御部４０は、設定されている配置パターンが配置パターンＡ〜Ｃのいずれかであるか判定する。設定されている配置パターンが配置パターンＡ〜Ｃのいずれかであると判定された場合、制御はステップＳ１２０３に進む。設定されている配置パターンが配置パターンＡ〜Ｃのいずれかでないと判定された場合、すなわち設定されている配置パターンが配置パターンＤであると判定された場合、強制モードの音量制御処理は終了する。このように、配置パターンＤが設定されている場合は、空気調和機２０１は音響装置３０１と遠く、且つ空気調和機２０１は音響装置３０１のユーザ１００と遠いため、ユーザ１００および音響装置３０１に対する送風機８の騒音の影響が少ないので、制御部４０は、音響装置３０１の音量を変更しない。
【００７５】
ステップＳ１２０３において、制御部４０は、ステップＳ９１７で設定したファンモータ９の回転数に基づいて、音響装置３０１の音量を決定する。制御部４０は、例えば、ステップＳ９１７で設定したファンモータ９の回転数に対応する音量を音響装置３０１の音量に決定する。例えば、ファンモータ９の回転数に対応する音量は、ファンモータ９の回転数が大きくなるに従い大きくなる。例えば、ファンモータ９の回転数と音量とが対応付けられたテーブルが記憶部４１に予め記憶され、制御部４０は当該テーブルを参照して、ステップＳ９１７で設定したファンモータ９の回転数に対応する音量を決定する。ステップＳ９１７の処理により、ファンモータ９の回転数は、通常モードの時よりアップしているので、ステップＳ１２０３で決定される音響装置３０１の音量は、現在の音響装置３０１の音量よりも大きくなる。
【００７６】
ステップＳ１２０４において、制御部４０は、決定した音量にまで音響装置３０１の音量をアップさせる制御信号をサーバ５０１に通信部５１から送信する。そして、サーバ５０１は、受信した制御信号を音響装置３０１に通信部５３１から送信し、音響装置３０１は、受信した制御信号に従って、制御部４０で決定された音量となるように音量を調整する。尚、制御部４０は、制御信号を音響装置３０１に送信してもよい。
図９に戻り制御処理の説明を続ける。
【００７７】
ステップＳ９２０において、制御部４０は、強制モードフラグが０であるか否か判定する。尚、上述のように強制モードフラグは、記憶部４１に記憶されている。強制モードフラグが０であると判定された場合、制御処理は終了し、再び図９の制御処理を開始する。強制モードフラグが０でないと判定された場合、すなわち強制モードフラグが１であると判定された場合、制御はステップＳ９２１に進む。
ステップＳ９２１において、制御部４０は、強制モードフラグを０に設定する。
【００７８】
ステップＳ９２２において、制御部４０は、ファンモータ９の回転数を通常モード所定値に設定する。例えば、ユーザが電話機を用いて通話を行う場合等のユーザが静かな状況を望んだ場合に、音響装置３０１はユーザにより静音モードに設定される。音響装置３０１が静音モードに設定されている場合、ファンモータ９の回転数が通常モード所定値に設定され、送風機８の送風量が強制モード時より低下する。それにより、空気調和機２０１の騒音が低下し、例えば、ユーザが電話機を用いて通話を行う場合に通話相手の声が聞こえやすくなり、利便性が向上する。
【００７９】
ステップＳ９２３において、制御部４０は、イオン発生機１８のイオン発生周期を通常モード所定値に設定する。例えば、通常モード所定値は、「間欠」であり、制御部４０は、イオン発生機１８を間欠運転させ、イオンを周期的に発生させる。
【００８０】
また、動作モードが音響優先モードに設定されており、且つ配置パターンが配置パターンＡ〜Ｃのいずれかであり、且つ臭いセンサ値が基準値Ｒ１以下、且つ埃センサ値が基準値Ｒ２以下のとき、制御部４０は、音響装置３０１の音量の減少に応じて、ファンモータ９の回転数を減少させてもよい。これにより、音響装置３０１の音量の減少に応じてファンモータ９の回転数も減少し、空気調和機２０１の騒音が減少するため、音響装置から出力される音が聞こえやすくなる。
【００８１】
実施の形態の空気調和システム１０１によれば、空気調和機２０１の送風量などの浄化された空気の送出状況に基づいて、音響装置３０１の音量を変更するため、音響装置から出力される音が聞こえやすくなる。例えば、実施の形態の空気調和システムによれば、空気調和機２０１の送風量が増加して、空気調和機２０１の騒音が増加する場合、音響装置３０１の音量を増加させるので、音響装置３０１から出力される音が聞こえ難くなることを防止できる。また、実施の形態の空気調和システム１０１によれば、空気調和機２０１、音響装置３０１、ユーザ１００それぞれの位置を考慮して、ファンモータ９の回転量や音響装置３０１の音量を制御できる。それにより、空気調和機２０１の騒音の影響が大きい場合は、ファンモータ９の回転量をなるべく抑えて、音響装置３０１から出力される音が聞こえ難くなることを防止し、空気調和機２０１の騒音の影響が小さい場合は、ファンモータ９の回転量を、空気調和機２０１の騒音の影響が大きい場合より多くして、速やかに空気を清浄できる。
【００８２】
また、他の実施の形態として、上述の実施の形態の記憶部４１に記憶されている空気調和機２０１で利用されるデータ等は、通信部５３１が空気調和機２０１から受信し、サーバ５０１の記憶部５２１に記憶されていてもよく、制御部５１１が記憶部５２１からデータ等を読みだして、図９〜１１の制御処理の制御部４０が行う処理をサーバ５０１の制御部５１１が代わりに行ってもよい。他の実施の形態において、例えば、サーバ５０１の制御部５１１は、脱臭フィルタ４および集塵フィルタ５により浄化された空気の送出状況（例えば、ファンモータ９の回転数）に基づいて音響装置３０１の音量を制御する。また、例えば、通信部５３１は音響装置３０１の音量を示す音量情報を受信し、制御部５１１は、通信部５３１により受信された音量情報に基づいて、脱臭フィルタ４および集塵フィルタ５により浄化された空気の送出状況（例えば、ファンモータ９の回転数）を制御してもよい。
【００８３】
なお、本発明は、上述した実施の形態に限定されるものではなく変形可能であり、上記の構成は、実質的に同一の構成、同一の作用効果を奏する構成又は同一の目的を達成することができる構成で置き換えることができる。
【符号の説明】
【００８４】
８    送風機
１８    イオン発生器
４０    制御部
４１    記憶部
４３    埃センサ
４４    臭いセンサ
５１    制御部
１０１    空気調和システム
２０１    空気調和機
３０１    音響装置
４０１    ＡＰ
５０１    サーバ
５１１    制御部
５２１    記憶部
５３１    通信部
【図１】
2020118316.tif 000003
【図２】
2020118316.tif 000004
【図３】
2020118316.tif 000005
【図４】
2020118316.tif 000006
【図５】
2020118316.tif 000007
【図６】
2020118316.tif 000008
【図７】
2020118316.tif 000009
【図８】
2020118316.tif 000010
【図９】
2020118316.tif 000011
【図１０】
2020118316.tif 000012
【図１１】
2020118316.tif 000013
【図１２】
2020118316.tif 000014